【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
台座、ポール、発光ダイオードを搭載した長尺配線基板、該長尺配線基板を挟み、該長尺配線基板と平行に第１反射板、第２反射板を具備したヘッドから成るデスクライト装置において、該ポールを変形保持型フレキシブルパイプとし、該フレキシブルパイプ先端にＤＣプラグを設け、該ヘッドにＤＣジャックを設けたことを特徴とするデスクライト装置
【請求項２】
前記第１反射板と第２反射板を前記長尺配線基板の直近に配置し、該第１反射板の角度が該発光ダイオード搭載側長尺配線基板に対して１２０度以上１３０度以下、該第２反射板の角度が該発光ダイオード搭載側長尺配線基板に対して９０度であることを特徴とする請求項１記載のデスクライト装置
【請求項３】
前記第１反射板が前記発光ダイオード搭載側長尺配線基板の下方側面に、前記第２反射板が前記発光ダイオード搭載側長尺配線基板の上方側面に配置されていることを特徴とする請求項１記載のデスクライト装置
【手続補正２】
【補正対象書類名】明細書
【補正対象項目名】０００４
【補正方法】変更
【補正の内容】
【０００４】図６に従来のデスクライト装置の一実施例を示す。１００はデスクライト装置、１はＡＣアダプタ、２は台座、３はスイッチ、４はポール、５−２はＤＣプラグ、６−２はＤＣジャック、７はヘッド、８−２は第１反射板、９−２は第２反射板、１４は固定金具である。ＡＣアダプタ１のＤＣプラグ５−２をＤＣジャック６−２に差し込み、スイッチ３をオンすることでヘッド７に電力を供給する。台座２はデスクライト装置１００が転倒しないようにするためのものである。発光ダイオードを搭載したヘッド７はフレキシブルパイプを使用したポール４に固定金具１４で固定されているので、必要とする机上面の照度調整はフレキシブルパイプを前後左右に変形させて行うことになるが、フレキシブルパイプの強度を確保するため曲げ角度に限界があること、およびデスクライト装置１００が転倒しないようにするための条件から、フレキシブルパイプを変形できる範囲には自ずと限界があり、したがって、照度を必要とする机上面の細かな照度調整は困難である。
【手続補正３】
【補正対象書類名】明細書
【補正対象項目名】０００８
【補正方法】変更
【補正の内容】
【０００８】さらに、デスクライト装置の特殊性としてデスクライト装置の後方は照射する必要はなく、机上の必要な面のみを照射すればよい。また、特有な使用方法としてデスクライト装置で机上面を照射する時は真上からではなく、デスクライト装置を使用する人の左斜め前かあるいは右斜め前から照射することが挙げられる。デスクライト装置の光源から真下までの距離に対して、使用する人の机上面までの距離が長くなるため、従来のデスクライト装置では真下の照度は高いが、使用する人が必要とする机上面では照度が低下する問題がある。
【手続補正４】
【補正対象書類名】明細書
【補正対象項目名】００１２
【補正方法】変更
【補正の内容】
【００１２】また、第１反射板８−２で反射された光は面実装タイプ発光ダイオード１１と第１反射板８−２との距離の関係上入射角が小さいので、照射経路１５ｉに示すように照射すべき机上面の範囲１３を照射することができない。すなわち照射すべき机上面の範囲１３を照射できるのは面実装タイプ発光ダイオード１１の直達光の一部と第２反射板９−２で反射された照射経路、例えば１５ｇに示す照射光であり、照射すべき机上面の範囲１３の照度を確保するには多数の面実装タイプ発光ダイオード１１を使用しなければならない問題がある。
【手続補正５】
【補正対象書類名】明細書
【補正対象項目名】００１３
【補正方法】変更
【補正の内容】
【００１３】本発明は上述した問題点を解決するために、操作性、保守性を向上させ、デスクライト装置特有の使用方法を考慮した反射板により必要とする机上面の範囲の照度を確保できる、発光ダイオードを用いたデスクライト装置を提供することにある。
【手続補正６】
【補正対象書類名】明細書
【補正対象項目名】００１４
【補正方法】変更
【補正の内容】
【００１４】台座、ポール、発光ダイオードを搭載した長尺配線基板の発光ダイオードを挟み、尺配線基板と平行に第１反射板、第２反射板を設けたヘッドから成るデスクライト装置において、ポールをフレキシブルパイプとし、該フレキシブルパイプ先端にＤＣプラグ、ヘッドにＤＣジャックを設ける。該ＤＣプラグを該ＤＣジャックに挿入するだけで、発光ダイオードへの電力供給と該フレキシブルパイプ先端に該ヘッドを取り付けができる機能を有する。
【手続補正７】
【補正対象書類名】明細書
【補正対象項目名】００１５
【補正方法】変更
【補正の内容】
【００１５】第１反射板と第２反射板を発光ダイオードの直近に配置し、第１反射板の角度を発光ダイオード搭載側長尺配線基板に対して１２０度以上１３０度以下、第２反射板の角度を発光ダイオード搭載側長尺配線基板に対して９０度とし、第１反射板がヘッドの下方に、第２反射板がヘッドの上方に配置されるようにヘッドをポールに装着する。
【手続補正８】
【補正対象書類名】明細書
【補正対象項目名】００１７
【補正方法】変更
【補正の内容】
【００１７】ヘッドとポールは電力供給を兼ねたＤＣプラグとＤＣジャックによって接続されているだけなので、ヘッドを３６０度回転でき、デスクライト装置を使用する人の前面での照度の微調整が容易にできる。
【手続補正９】
【補正対象書類名】明細書
【補正対象項目名】００１８
【補正方法】変更
【補正の内容】
【００１８】また発光ダイオードの直達光と反射板による反射光の効果的な活用により、必要とする机上面の範囲の照度を確保できる。
【手続補正１０】
【補正対象書類名】明細書
【補正対象項目名】００２０
【補正方法】変更
【補正の内容】
【００２０】図１において台座２はデスクライト装置１００が転倒しないようにするためのものである。ポール４はフレキシブルパイプを適用することにより、ヘッド７の位置を調整することができるようになっている。ポール４とヘッド７の接続はＤＣプラグ５−１をＤＣジャック６−１に差し込むことで行い、ＤＣプラグ５−１にスイッチ３を介してＡＣアダプタ１の出力を接続することにより、ＤＣプラグ５−１から同時にヘッド７に電力も供給できる。したがって、ポール４とヘッド７の取り付け、取り外しは極めて容易に行うことができ、面実装タイプ発光ダイオード１１が点灯不良を起こしても、ヘッド７を取り替えるだけで修理が可能となる。
【手続補正１１】
【補正対象書類名】明細書
【補正対象項目名】００２１
【補正方法】変更
【補正の内容】
【００２１】ポール４にヘッド７を取り付けた状態でＡＣアダプタ１のＤＣプラグ５−２を台座２に取り付けられたＤＣジャック６−２に差し込みスイッチ３をオンさせると、ヘッド７に搭載されている図２に示す長尺配線基板１０にハンダ付けされた面実装タイプ発光ダイオード１１が点灯する。この状態で仮にＤＣプラグ５−１をＤＣジャック６−１から引き抜いてＤＣプラグ５−１の電源部が露出しても、ＡＣアダプタ１からの供給電圧を１２Ｖ程度にしておけば感電する危険は全くない。
【手続補正１２】
【補正対象書類名】明細書
【補正対象項目名】００２２
【補正方法】変更
【補正の内容】
【００２２】ＤＣプラグ５−１とＤＣジャック６−１は接触しているだけなので、ＤＣプラグ５−１とＤＣジャック６−１の接触部が円形であればヘッド７を３６０度回転させることができ、フレキシブルパイプのみでヘッド７の位置調整を行うよりも、フレキシブルパイプとＤＣプラグ５−１、ＤＣジャック６−１の併用によって、ヘッド７の微妙な位置調整が可能となる。
【手続補正１３】
【補正対象書類名】明細書
【補正対象項目名】００２５
【補正方法】変更
【補正の内容】
【００２５】図４ではデスクライト装置が使用する人の左斜め前におかれた状況を想定している。このような状況ではフレキシブルパイプを調整して、ヘッド７を右下方向に向ける必要がある。面実装タイプ発光ダイオード１１からの照射経路は１５ａと１５ｅの間になるが、面実装タイプ発光ダイオード１１からの直達光１５ａ、１５ｄ、１５ｅの全てが照射すべき机上の範囲１３の照射に寄与できる。
【手続補正１４】
【補正対象書類名】明細書
【補正対象項目名】００２７
【補正方法】変更
【補正の内容】
【００２７】図１では電源としＡＣアダプタ１を用いたが、ＡＣアダプタ１の代わりに蓄電池でも良いし、太陽電池を用いても良い。あるいは蓄電池と太陽電池の組み合わせでも良い。またヘッド７をポール４から取り外し、ヘッド７に直接蓄電池や太陽電池を電源として入力すれば、携帯用照明器具、非常用照明器具としても使用できる。図５に応用例として蓄電池を入力としたヘッド７を示す。図１と同じ構成については同符号を付すこととする。１６は蓄電池、５−３はＤＣプラグである。蓄電池１６の出力にＤＣプラグ５−３を取り付け、ＤＣプラグ５−３をＤＣジャック６−１に差し込むことで、ヘッド７の面実装タイプ発光ダイオード１１を点灯することができる。蓄電池１６の代わりに太陽電池、あるいは蓄電池と太陽電池の組み合わせを用いることもできる。
【手続補正１５】
【補正対象書類名】明細書
【補正対象項目名】００２８
【補正方法】変更
【補正の内容】
【００２８】本発明による発光ダイオードを用いたデスクライト装置はポールとヘッドの取り付け、取り外しが容易であるばかりでなく同時に電力も供給でき、かつヘッドを３６０度回転できるので、発光ダイオードの不点灯故障が発生したときの修理が迅速に行え、ポールにフレキシブルパイプを使用すれば、照射すべき机上面の微妙な照度調整も可能となる。さらに、発光ダイオードの直達光と反射板による反射光の効果的な活用により、必要とする机上面の照度を確保できる。